(57)【要約】【課題】  端子数を増やすことなくコネクタの嵌合検出を行うことのできる電子機器を実現する。【解決手段】  コネクタＣ１は、コネクタＣ１とコネクタＣ２とが嵌合されたときに外部機器２が備える素子と接続される端子対ＣＴを有し、該端子対ＣＴ間の電圧値が、コネクタＣ１とコネクタＣ２との嵌合の有無により変化する。そして、電子機器１は、端子対ＣＴ間の電圧値を測定する電圧測定部１１２と、コネクタＣ１とコネクタＣ２とが抜けているときの端子対ＣＴ間の電圧値に関する電圧情報を記憶するＲＯＭ１２とを有している。さらに、電子機器１は、電圧測定部１１２が測定した測定電圧値と、ＲＯＭ１２が記憶する電圧情報とを基に、コネクタＣ１とコネクタＣ２とのコネクタ抜けが生じているか否かを判断する比較判断部１１３を備える。【選択図】  図１
2005249494.tif 000002
【特許請求の範囲】
【請求項１】
外部機器に接続されている第１のコネクタと嵌合する第２のコネクタを有し、第１のコネクタと第２のコネクタとが嵌合することで外部機器と電気的に接続する電子機器において、
前記第２のコネクタは、第１のコネクタと第２のコネクタとが嵌合されたときに外部機器が備える素子と接続する端子対を有し、該端子対間の電圧値が、第１のコネクタと第２のコネクタとの嵌合の有無により変化し、
前記端子対間の電圧値を測定する電圧測定手段と、
前記第１コネクタと第２コネクタとが抜けているときの前記端子対間の電圧値に関する電圧情報を記憶する記憶手段と、
前記電圧測定手段が測定した電圧値と、前記記憶手段が記憶する電圧情報とを基に、第１のコネクタと第２のコネクタとのコネクタ抜けが生じているか否かを判断する判断手段とを備えることを特徴とする電子機器。
【請求項２】
上記端子対における一方の端子の電位を固定することを特徴とする請求項１に記載の電子機器。
【請求項３】
外部機器に接続されている第１のコネクタと嵌合する第２のコネクタを有し、第１のコネクタと第２のコネクタとが嵌合することで外部機器と電気的に接続する電子機器において、
前記第２のコネクタは、第１のコネクタと第２のコネクタとが嵌合されたときに外部機器が備える素子と接続する端子を有し、該端子の電位は、第１のコネクタと第２のコネクタとの嵌合の有無により、所定の基準電位に対して変化し、
前記端子の電位と基準電位との差である電圧値を測定する電圧測定手段と、
前記第１コネクタと第２コネクタとが抜けているときの前記端子の電位と基準電位との差に関する電圧情報を記憶する記憶手段と、
前記電圧測定手段が測定した電圧値と、前記記憶手段が記憶する電圧情報とを基に、第１のコネクタと第２のコネクタとのコネクタ抜けが生じているか否かを判断する判断手段とを備えることを特徴とする電子機器。
【請求項４】
上記外部機器が備える素子がスイッチング素子であることを特徴とする請求項１または３に記載の電子機器。
【請求項５】
上記スイッチング素子に並列に抵抗を接続することを特徴とする請求項４に記載の電子機器。
【発明の詳細な説明】
【技術分野】
【０００１】
本発明は、コネクタを介して、スイッチやセンサ等の外部機器と接続可能な電子機器に関するものである。
【背景技術】
【０００２】
従来から、一対のコネクタを介して、スイッチやセンサ等の外部機器と接続可能な電子機器が広く使われている。
【０００３】
コネクタは、電子機器内部と外部機器内部との電線相互を接続するための電気部品である。一般に、電子機器側に設けられた一方のコネクタと、外部機器側に接続されている他方のコネクタとを相互に嵌合することで、電子機器と外部機器とが、コネクタを介して、正常に電気接続される。
【０００４】
コネクタを介して接続される外部機器として、例えば、特許文献１にはフォトセンサが開示されている。
【０００５】
コネクタが不完全嵌合の状態の場合、電子機器と外部機器とが正常に電気接続されないため、両機器を動作することができなくなる。
【０００６】
そこで、特許文献２では、コネクタの不完全嵌合を検知し、これを未然に防止する半嵌合検知機構付コネクタが開示されている。具体的には、一方のコネクタに短絡用弾性接触子を設け、他方のコネクタに該短絡用弾性接触子と接触可能な嵌合検知用端子を設ける。そして、コネクタの完全嵌合時に、短絡用弾性接触子と嵌合検知用端子とが接触して相互に導通状態となるスイッチ手段を構成する。短絡用弾性接触子と嵌合検知用端子との導通状態を検知することで、コネクタの半嵌合状態をチェックすることが可能となる。
【０００７】
また、コネクタの端子のうち一部を嵌合状態の検出専用として使用することも行われている。例えば、一方のコネクタで信号用の二つの端子を短絡し、他方のコネクタで該短絡を検出することで、コネクタが完全に嵌合されているかをチェックする。
【特許文献１】特開２０００−６５５２２（公開日：２０００年３月３日）
【特許文献２】実開平８−１３８８号公報（公開日：１９９６年９月１３日）
【発明の開示】
【発明が解決しようとする課題】
【０００８】
しかしながら、特許文献２に開示されている従来の構成では、コネクタの不完全嵌合を検出するための端子（短絡用弾性接触子や嵌合検知用端子）や、該端子間の導通状態を検出する部品を別途設ける必要があり、部品コストがかかるという問題が生じる。
【０００９】
また、コネクタの端子の一部を嵌合状態の検出専用とすると、通常の信号用として使用する端子の数が減少してしまう。そのため、信号用の端子が別に必要となってしまう。
【００１０】
本発明は、上記の問題点に鑑みてなされたものであり、その目的は、端子数を増やすことなくコネクタの嵌合検出を行うことのできる電子機器を実現することにある。
【課題を解決するための手段】
【００１１】
本発明に係る電子機器は、上記の課題を解決するために、外部機器に接続されている第１のコネクタと嵌合する第２のコネクタを有し、第１のコネクタと第２のコネクタとが嵌合することで外部機器と電気的に接続する電子機器において、前記第２のコネクタは、第１のコネクタと第２のコネクタとが嵌合されたときに外部機器が備える素子と接続される端子対を有し、該端子対間の電圧値が、第１のコネクタと第２のコネクタとの嵌合の有無により変化し、前記端子対間の電圧値を測定する電圧測定手段と、前記第１コネクタと第２コネクタとが抜けているときの前記端子対間の電圧値に関する電圧情報を記憶する記憶手段と、前記電圧測定手段が測定した電圧値と、前記記憶手段が記憶する電圧情報とを基に、第１のコネクタと第２のコネクタとのコネクタ抜けが生じているか否かを判断する判断手段とを備えることを特徴としている。
【００１２】
上記の構成によれば、第２のコネクタが有する端子対間の電圧値が第１のコネクタと第２のコネクタとの嵌合の有無により変化する。また、該端子対は、第１のコネクタと第２のコネクタとが嵌合されたときに外部機器と接続されるものであり、外部機器と電子機器との信号の送受に用いられるものである。
【００１３】
そして、記憶手段が第１コネクタと第２コネクタとが抜けているときの上記端子対間の電圧値に関する電圧情報を記憶し、判断手段が該電圧情報と上記端子対間の電圧値とからコネクタ抜けを判断する。それゆえ、信号の送受に用いられる端子対間の電圧値を利用して、第１のコネクタと第２のコネクタとのコネクタ抜けを検知することができる。つまり、該端子対は、信号の送受の機能と、嵌合検出の機能とを兼ねている。
【００１４】
これにより、信号線用以外の余分な端子を設けることなく（端子数を増やすことなく）、コネクタの嵌合検出を行うことのできる電子機器を実現することができるという効果を奏する。
【００１５】
さらに、本発明に係る電子機器は、上記の構成に加えて、上記端子対における一方の端子の電位を固定することを特徴としている。
【００１６】
上記の構成によれば、端子対における上記一方の端子の電位を基準電位とすると、電圧測定手段は、該基準電位に対する他方の端子の電位を測定することにより、端子対間の電圧値を測定することができる。したがって、電圧測定手段に該基準電位を供給することにより、電圧測定手段は、上記一方の端子と接続されてなくてもよい。これにより、配線の複雑化を抑制することができる。
【００１７】
また、本発明に係る電子機器は、上記の課題を解決するために、外部機器に接続されている第１のコネクタと嵌合する第２のコネクタを有し、第１のコネクタと第２のコネクタとが嵌合することで外部機器と電気的に接続する電子機器において、前記第２のコネクタは、第１のコネクタと第２のコネクタとが嵌合されたときに外部機器が備える素子と接続される端子を有し、該端子の電位は、第１のコネクタと第２のコネクタとの嵌合の有無により、所定の基準電位に対して変化し、前記端子の電位と基準電位との差である電圧値を測定する電圧測定手段と、前記第１コネクタと第２コネクタとが抜けているときの前記端子の電位と基準電位との差に関する電圧情報を記憶する記憶手段と、前記電圧測定手段が測定した電圧値と、前記記憶手段が記憶する電圧情報とを基に、第１のコネクタと第２のコネクタとのコネクタ抜けが生じているか否かを判断する判断手段とを備えることを特徴としている。
【００１８】
上記の構成によれば、第２のコネクタが有する端子の電位が、第１のコネクタと第２のコネクタとの嵌合の有無により、所定の基準電位に対して変化する。また、該端子は、第１のコネクタと第２のコネクタとが嵌合されたときに外部機器と接続されるものであり、外部機器と電子機器との信号の送受に用いられるものである。
【００１９】
そして、記憶手段が第１コネクタと第２コネクタとが抜けているときの上記端子の電位と基準電位との差に関する電圧情報を記憶し、判断手段が該電圧情報と、端子の電位および基準電位の差である電圧値とからコネクタ抜けを判断する。それゆえ、信号の送受に用いられる端子の電位と基準電位との差である電圧値を利用して、第１のコネクタと第２のコネクタとのコネクタ抜けを検知することができる。つまり、該端子は、信号の送受の機能と、嵌合検出の機能とを兼ねている。
【００２０】
これにより、信号線用以外の余分な端子を設けることなく（端子数を増やすことなく）、コネクタの嵌合検出を行うことのできる電子機器を実現することができるという効果を奏する。
【００２１】
さらに、本発明に係る電子機器は、上記の構成に加えて、上記外部機器が備える素子がスイッチング素子であることを特徴としている。
【００２２】
スイッチング素子は閉状態となることでほぼ抵抗０となるため、上記端子対間の電圧値、または、上記端子の電位および基準電位の差である電圧値は、第１のコネクタと第２のコネクタとの嵌合の有無により、大幅に変化することができる。そのため、コネクタ嵌合検出時に、上記スイッチング素子を閉状態とすることで、コネクタ抜けをより一層精度よく検出することができる。
【００２３】
さらに、本発明に係る電子機器は、上記の構成に加えて、上記スイッチング素子に並列に抵抗を接続することを特徴としている。
【００２４】
スイッチング素子が開状態である場合、該スイッチング素子は、絶縁素子のように高抵抗となる。したがって、嵌合検出時に該スイッチング素子を閉状態にすることができないような場合、該スイッチング素子に接続される上記端子対間の電圧値は、第１のコネクタと第２のコネクタとの嵌合の有無により変化しなくなる。あるいは、該スイッチング素子に接続される上記端子の電位と基準電位との差である電圧値は、第１のコネクタと第２のコネクタとの嵌合の有無により変化しなくなる。このような場合、コネクタ抜けを検出することができない。
【００２５】
しかしながら、上記の構成によれば、スイッチング素子に抵抗が並列に接続されているため、該スイッチング素子の入力側と出力側との抵抗値は、並列に接続されている抵抗の抵抗値とほぼ同じとなる。よって、該スイッチング素子に接続される上記端子対間の電圧値は、第１のコネクタと第２のコネクタとの嵌合の有無により変化することができる。また、該スイッチング素子に接続される上記端子の電位と基準電位との差である電圧値も、第１のコネクタと第２のコネクタとの嵌合の有無により変化することができる。これにより、コネクタ抜けを検出することができる。
【００２６】
このように、嵌合検出時に該スイッチング素子を閉状態にすることができず、スイッチング素子が高抵抗状態である場合でも、該スイッチング素子に接続される端子を用いて、コネクタ抜けを検出することができる。
【発明の効果】
【００２７】
本発明の電子機器は、以上のように、前記第２のコネクタは、第１のコネクタと第２のコネクタとが嵌合されたときに外部機器と接続される端子対を有し、該端子対間の電圧値が、第１のコネクタと第２のコネクタとの嵌合の有無により変化し、前記端子対間の電圧値を測定する電圧測定手段と、前記第１コネクタと第２コネクタとが抜けているときの前記端子対間の電圧値に関する電圧情報を記憶する記憶手段と、前記電圧測定手段が測定した電圧値と、前記記憶手段が記憶する電圧情報とを基に、第１のコネクタと第２のコネクタとのコネクタ抜けが生じているか否かを判断する判断手段とを備える。
【００２８】
それゆえ、信号線用以外の余分な端子を設けることなく（端子数を増やすことなく）、コネクタの嵌合検出を行うことのできる電子機器を実現することができるという効果を奏する。
【発明を実施するための最良の形態】
【００２９】
〔実施形態１〕
本発明の一実施形態について図１ないし図６に基づいて説明すると以下の通りである。
【００３０】
図１は、本実施形態に係る電子機器１の構成と、該電子機器１にコネクタを介して電気的に接続される外部機器２（２−１，２−２，…２−Ｎ）とを示すブロック図である。
【００３１】
図１に示されるように、外部機器２−１，２−２，…２−Ｎは、それぞれコネクタＣ２−１，Ｃ２−２，，…Ｃ２−Ｎに接続されており、電子機器１に備えられたコネクタＣ１（Ｃ１−１，Ｃ１−２ａ，…Ｃ１−Ｎ）とコネクタＣ２とが正常に嵌合されることで、電子機器１と電気的に接続される。なお、外部機器２は、センサやスイッチ等の素子からなる。
【００３２】
電子機器１は、複数のコネクタＣ１（Ｃ１−１，Ｃ１−２ａ，…Ｃ１−Ｎ）の他、処理部１１、ＲＯＭ（Read Only Memory）１２、ＲＡＭ（Random Access Memory）１３および駆動部１４を備えている。電子機器１は、例えば、ＰＷＢ（Printed Wiring Board）により構成されている。
【００３３】
コネクタＣ１−１，Ｃ１−２ａ，…Ｃ１−Ｎは、それぞれ外部機器２に接続されているコネクタＣ２−１，Ｃ２−２，，…Ｃ２−Ｎと対をなすものであり、コネクタＣ２−１，Ｃ２−２，，…Ｃ２−Ｎと嵌合される。コネクタＣ１−１，Ｃ１−２，…Ｃ１−Ｎは、それぞれ所定数（例えば、１０や２０）の端子を備えている。各端子は、信号線と接続されており、コネクタＣ１とコネクタＣ２とが嵌合されるときに、外部機器２が備える素子（図１では図示しない）と接続され、外部機器２と電子機器１との信号の送受のために使用される。
【００３４】
各コネクタＣ１−１，Ｃ１−２，…Ｃ１−Ｎにおいて、予め定められた端子対の電位が処理部１１に与えられるように設計されている。ここで、予め定められた端子対とは、その間の電圧がコネクタＣ１とコネクタＣ２との嵌合の有無により変化するものである。該端子対は、コネクタＣ１とコネクタＣ２とが嵌合されるときに、上記のように、外部機器２が備える素子と接続され、外部機器２と電子機器１との信号の送受のために使用されるとともに、嵌合状態の検出用としても使用される。すなわち、該端子対は、信号の送受の機能と、嵌合検出の機能とを兼ねている。そこで、該端子対を嵌合検出兼用端子対とよび、図中において参照符号ＣＴを付し、他の端子と区別する。
【００３５】
コネクタＣ１とコネクタＣ２とが正常に嵌合されているときの嵌合検出兼用端子対ＣＴ間の電圧値を、正常電圧値とよび、コネクタＣ１とコネクタＣ２とが抜けているときの嵌合検出兼用端子対ＣＴ間の電圧値をコネクタ抜け電圧値とよぶ。
【００３６】
なお、嵌合検出兼用端子対ＣＴは、各コネクタＣ１において、一対とは限られず、複数対であってもよい。例えば、図１のコネクタＣ１−２のように、二対の嵌合検出兼用端子対ＣＴが処理部１１に接続されている。
【００３７】
また、コネクタＣ１の一部の端子は、駆動部１４と接続されており、外部機器１を駆動するための信号を、駆動部１４と外部機器２との間で中継する。
【００３８】
ＲＯＭ１２は、各種の情報を予め記憶しているメモリである。本実施形態では、ＲＯＭ１２は、検出番号ｍと、コネクタ電圧情報とを対応付けて記憶している。検出番号ｍとは、嵌合検出部１１が各コネクタＣ１の嵌合検出を行う際の順番を表すものであり、１から最大値Ｍまである。また、コネクタ電圧情報とは、各コネクタＣ１を識別するコネクタ識別情報と、各コネクタＣ１に接続される外部機器２内の素子を識別すると素子識別情報と、該コネクタＣ１における嵌合検出兼用端子対ＣＴ間のコネクタ抜け電圧値とが対応付けられたものである。一つのコネクタＣ１に対して嵌合検出兼用端子対ＣＴが複数ある場合には、ＲＯＭ１２は、コネクタ電圧情報として、各嵌合検出兼用端子対ＣＴの端子番号を含めて記憶している。
【００３９】
図２は、ＲＯＭ１２における一記憶例を示している。図２に示されるように、例えば、ＲＯＭ１２は、検出番号ｍ１と、コネクタＣ１−１を表すコネクタ識別情報と、スイッチＳ１を表す素子識別情報と、コネクタ抜け電圧値Ｖｃｃ／３とを対応付けて記憶している。
【００４０】
また、嵌合検出兼用端子対ＣＴが複数あるコネクタＣ１−２に対して、ＲＯＭ１２は、図２に示されるように、検出番号ｍ２と、コネクタＣ１−２を表すコネクタ識別情報と、端子番号１，２と、センサＰ１を表す素子識別情報と、コネクタ抜け時の電圧値０とを対応付けて記憶するとともに、検出番号ｍ３と、コネクタＣ１−２を表すコネクタ識別情報と、端子番号９，１０と、センサＰ２を表す素子識別情報と、コネクタ抜け時の電圧値０とを対応付けて記憶している。
【００４１】
ＲＡＭ１３は、読み出しおよび書き込み可能なメモリであり、処理部１１により後述するコネクタ抜けが生じているコネクタＣ１を識別するコネクタ抜け情報が書き込まれる。
【００４２】
駆動部１４は、コネクタＣ１を介して接続される外部機器２の素子を駆動するためのものである。駆動部１４は、処理部１１からの駆動信号を受け、受けた駆動信号を基に、外部機器２を駆動する。
【００４３】
次に、処理部１１について説明する。処理部１１は、コネクタＣ１とコネクタＣ２とが正常に嵌合されているか否かを判断し、その結果を報知するためのものである。処理部１１は、例えば、ＣＰＵ等で構成される。図１に示されるように、処理部１１は、選択部１１１、電圧測定部１１２、比較判断部１１３、情報報知部１１４、制御部１１５からなる。
【００４４】
制御部１１５は、コネクタＣ１とコネクタＣ２との嵌合状態を検出するときに、選択部１１１、比較判断部１１３、情報報知部１１４および駆動部１４の各部の動作を制御するためのものである。
【００４５】
制御部１１５は、図示しない操作部から嵌合状態の検出を開始する旨の検出開始信号を受けると、まずＲＯＭ１２から検出番号１に対応するコネクタ電圧情報（コネクタ識別情報，素子識別情報，端子番号、コネクタ抜け電圧値）を読み出す。また、制御部１１５は、比較判断部１１３から判断の終了を通知する判断終了通知を受けると、次の検出番号ｍに対応するコネクタ電圧情報を読み出す。そして、制御部１１５は、読み出したコネクタ識別情報および端子番号を切替部１１１に、読み出したコネクタ識別情報およびコネクタ抜け電圧値を比較判断部１１３に出力する。さらに、制御部１１５は、ＲＯＭ１２から読み出した素子識別情報が表す外部機器２の素子を駆動するための駆動信号を生成し、駆動部１４に出力する。
【００４６】
さらに、制御部１１５は、最後の検出番号Ｍに対応するコネクタ電圧情報を読み出した後、比較判断部１１３から判断終了通知を受けると、結果を報知するための報知信号を情報報知部１１４に出力する。
【００４７】
切替部１１１は、制御部１１５から入力されるコネクタ識別情報および端子番号に応じて、コネクタＣ１のうち何れか一対の嵌合検出兼用端子対ＣＴを後段の電圧測定部１１２に接続させるためのものである。
【００４８】
切替部１１１は、各コネクタＣ１の嵌合検出兼用端子対ＣＴと接続されている。嵌合検出兼用端子対ＣＴが一対だけであるコネクタＣ１の場合、切替部１１１は、制御部１１５からコネクタ識別情報のみが入力され、入力されたコネクタ識別情報に対応するコネクタＣ１の嵌合検出兼用端子対ＣＴと後段の電圧測定部１１２とを接続する。
【００４９】
一方、嵌合検出兼用端子対ＣＴが複数のコネクタＣ１の場合、切替部１１１は、制御部１１５からコネクタ識別情報および端子番号が入力され、入力されたコネクタ識別情報および端子番号に対応する嵌合検出兼用端子対ＣＴと後段の電圧測定部１１２とを接続する。
【００５０】
電圧測定部１１２は、切替部１１１を介して接続されたコネクタＣ１の嵌合検出兼用端子対ＣＴ間の電圧を測定し、測定した電圧値を後段の比較判断部１１３に出力するためのものである。
【００５１】
比較判断部１１３は、電圧測定部１１２から入力される電圧値と、制御部１１５から入力されるコネクタ抜け電圧値とを比較し、コネクタＣ１とコネクタＣ２とが正常に嵌合されているか否かを判断するためのものである。さらに、比較判断部１１３は、コネクタ抜けが生じているコネクタＣ１を表すコネクタ抜け情報をＲＡＭ１３に書き込む機能を有している。
【００５２】
比較判断部１１３は、電圧測定部１１２から測定電圧値を、制御部１１５からコネクタ識別情報およびコネクタ抜け電圧値を取得する。比較判断部１１３は、取得した測定電圧値とコネクタ抜け電圧値とを比較する。測定電圧値とコネクタ抜け電圧値とが一致する場合、比較判断部１１３は、コネクタＣ１とコネクタＣ２とが抜けていると判断する。一方、測定電圧値とコネクタ抜け電圧値とが一致しない場合、比較判断部１１３は、コネクタＣ１とコネクタＣ２とが嵌合されていると判断する。
【００５３】
コネクタＣ１とコネクタＣ２とが抜けていると判断した場合、比較判断部１１３は、制御部１１５から取得したコネクタ識別情報をＲＡＭ１３に書き込む。これにより、ＲＡＭ１３には、コネクタ抜けが生じているコネクタＣ１を表すコネクタ抜け情報を記憶することとなる。
【００５４】
比較判断部１１３は、比較・判断を終えると、その旨を表す判断終了通知を制御部１１５に出力する。
【００５５】
情報報知部１１４は、制御部１１５から報知信号を受けたときに、ＲＡＭ１３に書き込まれた情報、すなわち、コネクタ抜け情報を読み出し、図示しない表示部に表示させるためのものである。上述したように、ＲＡＭ１３が記憶するコネクタ抜け情報は、コネクタ抜けが生じているコネクタＣ１を表している。そのため、ユーザは、図示しない表示部を見ることで、コネクタ抜けが生じているコネクタＣ１を特定することができる。情報報知部１１４は、コネクタ抜け情報を図示しない表示部に表示させた後、ＲＡＭ１３が記憶する情報を消去する。
【００５６】
次に、図３を参照しながら、電子機器１における各コネクタＣ１の嵌合状態の確認手順について説明する。図３は、該確認手順を示すフローチャートである。
【００５７】
まず、制御部１１５は、図示しない操作部から検出開始信号を受け、検出番号ｍを１とする（Ｓ１）。なお、操作部から検出開始信号を受けるときとは、通常、コネクタＣ１とコネクタＣ２との嵌合作業の終了直後、つまり、電子機器１および外部機器２の組立作業の終了直後である。
【００５８】
次に、制御部１１５は、検出番号ｍに対応するコネクタ電圧情報を、ＲＯＭ１２から読み出す。そして、制御部１１５は、読み出したコネクタ電圧情報に含まれるコネクタ識別情報が表すコネクタＣ１を嵌合検出するコネクタＣ１として選択する。コネクタ電圧情報に端子番号が含まれている場合、制御部１１５は、選択したコネクタＣ１の端子対のうち、読み出した端子番号に対応する嵌合検出兼用端子対ＣＴを選択する。また、制御部１１５は、読み出したコネクタ電圧情報に含まれる素子識別情報が表す外部機器２の素子を選択する（Ｓ２）。
【００５９】
次に、制御部１１５は、読み出したコネクタ電圧情報に端子番号が含まれない場合には、読み出したコネクタ識別情報のみを切替部１１１に出力する。一方、読み出したコネクタ電圧情報に端子番号が含まれる場合には、制御部１１５は、コネクタ識別情報と端子番号とを切替部１１１に出力する。
【００６０】
また、制御部１１５は、ＲＯＭ１２から読み出したコネクタ識別情報およびコネクタ抜け電圧値を比較判断部１１３に出力する。さらに、制御部１１５は、ＲＯＭ１２から読み出した素子識別情報が表す外部機器２の素子を駆動するための駆動信号を駆動部１４に出力する。これにより、駆動部１４は、コネクタＣ１に対して、外部機器２を駆動する制御信号を出力する。
【００６１】
制御部１１５からコネクタ識別情報（または、コネクタ識別情報および端子番号）を受けた切替部１１１は、該コネクタ識別情報（または、コネクタ識別情報および端子番号）に対応する嵌合検出兼用端子対ＣＴと、後段の電圧測定部１１２とを接続させる。
【００６２】
その後、電圧測定部１１２は、接続された嵌合検出兼用端子対ＣＴ間の電圧値を測定し、測定した測定電圧値を後段の比較判断部１１３に出力する（Ｓ３）。
【００６３】
電圧測定部１１２から測定電圧値が入力されると、比較判断部１１３は、入力された測定電圧値と、制御部１１５から受けたコネクタ抜け電圧値とを比較し、コネクタ抜けの有無を判断する（Ｓ４）。
【００６４】
測定電圧値とコネクタ抜け電圧値とが一致する場合、比較判断部１１３は、コネクタ抜けが生じていると判断する（Ｓ４でＹＥＳ）。コネクタ抜けが生じていると判断すると、比較判断部１１３は、制御部１１５から受けたコネクタ識別情報を、コネクタ抜けが生じてコネクタＣ１を表すコネクタ抜け情報としてＲＡＭ１３に書き込む（Ｓ４）。その後、比較判断部１１３は、判断終了信号を制御部１１５に出力する。
【００６５】
一方、測定電圧値とコネクタ抜け電圧値とが一致しない場合、比較判断部１１３は、コネクタ抜けが生じていないと判断する（Ｓ４でＮＯ）。その後、比較判断部１１３は、判断終了信号を制御部１１５に出力する。
【００６６】
判断終了信号を受けた制御部１１５は、検出番号ｍが最大値Ｍであるか否かを確認する（Ｓ６）。
【００６７】
検出番号ｍが最大値Ｍでない場合（Ｓ６でＮＯ）、さらにコネクタ抜けを検出すべきコネクタＣ１があるため、制御部１１５は、検出番号ｍを１だけ加算し（Ｓ７）、Ｓ２の処理に戻る。
【００６８】
一方、検出番号ｍが最大値Ｍである場合（Ｓ６でＹＥＳ）、全てのコネクタＣ１に対してコネクタ抜けを検出したため、制御部１１５は、コネクタ抜けが生じているコネクタＣ１をユーザに知らせるために、報知信号を情報報知部１１４に出力する。
【００６９】
報知信号を受けた情報報知部１１４は、ＲＡＭ１３にコネクタ抜け情報が書き込まれているか否かを判断することにより、コネクタ抜けが生じているか否かを判断する（Ｓ８）。
【００７０】
コネクタ抜けが生じている場合（Ｓ８でＹＥＳ）、つまり、ＲＡＭ１３がコネクタ抜け情報を記憶している場合、情報報知部１１４は、ＲＡＭ１３が記憶しているコネクタ抜け情報を図示しない表示部に表示させる（Ｓ９）。これにより、ユーザは、コネクタ抜けが生じているコネクタＣ１を特定することができる。その後、情報報知部１１４は、ＲＡＭ１３からコネクタ識別情報を消去し、処理を終了する。
【００７１】
一方、コネクタ抜けが生じていない場合（Ｓ８でＮＯ）、つまり、ＲＡＭ１３がコネクタ抜け情報を記憶している場合、情報報知部１１４は、処理を終了する。なお、このとき、情報報知部１１４は、コネクタ抜けが無い旨の通知を表示部に表示させてもよい。
【００７２】
このように、本実施形態の電子機器１は、コネクタＣ１と外部機器２に接続されるコネクタＣ２との嵌合の有無により変化するコネクタＣ１の所定端子対間（嵌合検出兼用端子対ＣＴ間）の電圧値を利用して、コネクタＣ１とコネクタＣ２との嵌合状態を検出する。ここで、所定端子対は、コネクタＣ１とコネクタＣ２とが正常に嵌合されているとき、電子機器１と外部機器２との間で送受される信号を中継することを本来の機能とするとともに、嵌合状態の検出機能をも兼ねている。
【００７３】
より具体的には、電子機器１は、該所定端子対間の電圧値について、コネクタＣ１とコネクタＣ２との嵌合が無い場合の電圧値（コネクタ抜け電圧値）を記憶するＲＯＭ１２を備える。さらに、電子機器１は、該所定端子対間の測定電圧値と、ＲＯＭ１２が記憶するコネクタ抜け電圧値とを比較し、一致する場合に、コネクタ抜けが生じており、一致しない場合、コネクタが正常に嵌合されていると判断する比較判断部１１３を備える。
【００７４】
これにより、本実施形態の電子機器１は、信号線用以外の余分な端子を用いることなく、コネクタ抜けを検知することができる。
【００７５】
なお、上記説明では、ＲＯＭ１２がコネクタ抜け電圧値を記憶する構成とした。しかしながら、電圧測定における測定誤差やノイズ等を考慮して、ＲＯＭ１２がコネクタＣ１とコネクタＣ２とが嵌合されていないときの所定の電圧範囲であるコネクタ抜け電圧範囲を記憶していてもよい。この場合、比較判断部１１３は、測定電圧値がコネクタ抜け電圧範囲内に含まれるか否かを判断し、測定電圧値がコネクタ抜け電圧範囲内に含まれる場合に、コネクタ抜けが生じていると判断する。
【００７６】
これにより、電子機器１は、測定電圧部における測定誤差やノイズ等の影響を受けることなく、より一層精度よくコネクタ抜けを検出することができる。
【００７７】
例えば、図４に示すように、ＲＯＭ１２は、コネクタ抜け電圧値の変わりに、コネクタ抜け電圧範囲を記憶していてもよい。図４に示されるように、ＲＯＭ１２は、コネクタＣ１−１に対応するコネクタ抜け電圧範囲としてＶｃｃ／４以上を記憶している。この場合、ＲＯＭ１２は、コネクタ抜け電圧範囲の下限値Ｖｃｃ／４のみを記憶している。また、ＲＯＭ１２は、コネクタＣ１−Ｎに対応するコネクタ抜け電圧範囲として０〜αを記憶している。この場合、ＲＯＭ１２は、コネクタ抜け電圧範囲の上限値αおよび下限値０を記憶している。
【００７８】
このようにＲＯＭ１２が上限値および／または下限値を記憶している場合、比較判断部１１３は、コネクタ抜け電圧範囲の上下限と測定電圧値とを比較するコンパレータで構成することができる。
【００７９】
また、ＲＯＭ１２は、図５に示されるように、コネクタが正常に嵌合されているときの嵌合検出兼用端子対ＣＴ間の電圧範囲である正常電圧範囲（または、正常電圧値）を記憶する構成であってもよい。
【００８０】
この場合、比較判断部１１３は、測定電圧値がコネクタ抜け電圧範囲に含まれる否かを判断するとともに、測定電圧値が正常電圧範囲に含まれるか否かを判断する。そして、測定電圧値がコネクタ抜け電圧範囲および正常電圧範囲のいずれにも含まれない場合、比較判断部１１３が対応するコネクタ識別情報をＲＡＭ１３に書込み、情報報知部が該コネクタ識別情報をユーザに報知する。これにより、ユーザは、コネクタ抜け以外の何らかの異常が発生しているコネクタＣ１を特定することができる。
【００８１】
次に、コネクタＣ１の嵌合検出兼用端子対ＣＴ間の電圧がコネクタＣ１とコネクタＣ２との嵌合の有無により変化する１実施例について説明する。
【００８２】
＜実施例１＞
図６は、本実施例の電子機器１と外部機器２−１との構成を示すブロック図である。なお、説明の簡略化のため、電子機器１におけるコネクタＣ１は、コネクタＣ１−１のみ示している。また、電子機器１および外部機器２−１における構成については、嵌合検出兼用端子対ＣＴに関連するものだけを示している。
【００８３】
図６に示されるように、コネクタＣ１−１およびコネクタＣ２−１は、２０個の端子を備えている。そのうち、端子番号１９，２０が嵌合検出兼用端子対ＣＴであり、嵌合検出部１１に接続されている。なお、他の端子番号１〜１８は、電子機器１と外部機器２−１との間の信号送受のためだけに使用されている。
【００８４】
外部機器２−１において、コネクタＣ２−１の端子番号１９−２０には、スイッチＳ１が接続されている。該スイッチＳ１は、電子機器１と外部機器２−１との通常の動作時に使用されるものであり、開閉の信号を電子機器１に送信する。なお、スイッチＳ１は、通常、閉状態に設定されており、コネクタＣ１−１とコネクタＣ２−１との嵌合検出時にも閉状態であるとする。
【００８５】
また、電子機器１において、コネクタＣ１−１の端子番号１９−２０には、その間に抵抗Ｒ２が接続されている。さらに、端子番号１９の端子には、定電圧Ｖｃｃを生成する定電圧源と抵抗Ｒ１を介して接続されている。さらに、端子番号２０の端子は、抵抗Ｒ３を介して接地されている。なお、抵抗Ｒ１，Ｒ２，Ｒ３の抵抗値は、全て同一であるとする。
【００８６】
コネクタＣ１−１とコネクタＣ２−１とが正常に嵌合されている場合、コネクタＣ１−１における端子番号１９の端子と端子番号２０の端子との間がスイッチＳ１を介して短絡されるため、嵌合検出兼用端子対ＣＴ（端子番号１９，２０の端子）間の電圧値は、０Ｖとなる。
【００８７】
一方、コネクタＣ１−１とコネクタＣ２−１とが正常に嵌合されていない場合、コネクタＣ１−１における端子番号１９の端子と端子番号２０の端子との間には抵抗Ｒ２が介在するため、嵌合検出兼用端子対ＣＴ（端子番号１９，２０の端子）間の電圧値は、Ｖｃｃ／３となる。
【００８８】
このように、通常閉状態にあるスイッチＳ１が接続される端子番号１９，２０の端子対を嵌合検出兼用端子対ＣＴとすることで、該嵌合検出兼用端子対ＣＴの電圧値が、コネクタＣ１−１とコネクタＣ２−１との嵌合の有無により変化する。
【００８９】
よって、ＲＯＭ１２にコネクタ抜け電圧値０Ｖ（または、測定誤差を考慮した場合、コネクタ抜け電圧範囲０±αＶ）を記憶させることで、比較判断部１１３は、測定電圧値と該コネクタ抜け電圧値とを比較し、測定電圧値がコネクタ抜け電圧値を一致する場合（または、測定電圧値がコネクタ抜け電圧範囲に含まれる場合）、コネクタＣ１−１においてコネクタ抜けが生じていると判断する。
【００９０】
上記実施例では、外部機器２が備えるスイッチＳ１に接続されている端子対を嵌合検出兼用端子対ＣＴとしたが、これに限られない。嵌合検出兼用端子対ＣＴは、コネクタＣ１とコネクタＣ２との嵌合の有無により、その間の電圧値が変化するものであればよく、スイッチ以外の素子（例えば、フォトセンサ）に接続されていてもよい。
【００９１】
〔実施形態２〕
上記実施形態では、電圧測定部１１２が嵌合検出兼用端子対ＣＴ間の電圧値を測定する構成とした。この場合、上述したように、各コネクタＣ１から嵌合検出兼用端子対ＣＴをなす二つの端子を嵌合検出部１１に接続する必要があった。そのため、配線パターンが複雑化することがある。本実施形態は、配線パターンを簡略化することのできる好ましい構成を有している。
【００９２】
すなわち、本実施形態の電子機器１０１は、コネクタＣ１の嵌合検出兼用端子対ＣＴ間の電圧を測定するのではなく、コネクタＣ１における嵌合検出兼用の所定の端子（以下、嵌合検出兼用端子とよび、図面中において参照符号ＣＴａを付す）の基準電位に対する電位を測定する構成である。なお、嵌合検出兼用端子ＣＴａは、各コネクタＣ１において、コネクタＣ１とコネクタＣ２との嵌合の有無により、基準電位に対する電位が変化する端子であり、コネクタ毎に１個または複数個設定されている。また、嵌合検出兼用端子ＣＴａは、コネクタＣ１とコネクタＣ２とが嵌合されるときに、外部機器２が備える素子（図１では図示しない）と接続され、外部機器２と電子機器１との信号の送受のために使用される。
【００９３】
本実施形態について、図７〜図１３に基づいて説明すれば、以下のとおりである。なお、説明の便宜上、前記実施形態にて説明した図面と同じ機能を有する部材については、同じ符号を付記し、その説明を省略する。
【００９４】
図７は、本実施形態における電子機器１０１と外部機器２との構成を示すブロック図である。上記実施形態と異なる点は、各コネクタＣ１が少なくとも一つの嵌合検出兼用端子ＣＴａを嵌合検出部１１に接続させている点、切替部１１１の代わりに切替部１１１ａを備える点、および、電圧測定部１１２の代わりに電圧測定部１１２ａを備える点である。
【００９５】
図８は、本実施形態におけるＲＯＭ１２における一記憶例を示している。図２と同様に、ＲＯＭ１２は、検出番号ｍと、コネクタ電圧情報とを対応付けて記憶している。コネクタ電圧情報は、コネクタ識別情報と、端子番号と、コネクタ抜け電圧値とが対応付けられた情報である。なお、本実施形態におけるコネクタ抜け電圧値とは、コネクタＣ１とコネクタＣ２とが嵌合されていないときの嵌合検出兼用端子ＣＴａの基準電位に対する電位である。なお、基準電位は、予め設定されており、例えばＧＮＤ電位である。以下、基準電位は、ＧＮＤ電位とする。
【００９６】
嵌合検出兼用端子ＣＴａが複数あるコネクタＣ１−２に対して、ＲＯＭ１２は、各嵌合検出兼用端子ＣＴａに対応する端子番号と、該嵌合検出兼用端子ＣＴａにおけるコネクタ抜け電圧値とを対応付けて記憶している。
【００９７】
切替部１１１ａは、制御部１１５から入力されるコネクタ識別情報および端子番号に応じて、コネクタＣ１のうち何れか一つの嵌合検出兼用端子ＣＴａを後段の電圧測定部１１２ａに接続させるためのものである。
【００９８】
切替部１１１ａは、各コネクタＣ１の嵌合検出兼用端子ＣＴａと接続されている。嵌合検出兼用端子ＣＴａが一つだけであるコネクタＣ１の場合、切替部１１１ａは、制御部１１５からコネクタ識別情報のみが入力され、入力されたコネクタ識別情報に対応するコネクタＣ１の嵌合検出兼用端子ＣＴａと後段の電圧測定部１１２ａとを接続する。
【００９９】
一方、嵌合検出兼用端子ＣＴａが複数のコネクタＣ１の場合、切替部１１１ａは、制御部１１５からコネクタ識別情報および端子番号が入力され、入力されたコネクタ識別情報および端子番号に対応する嵌合検出兼用端子ＣＴａと後段の電圧測定部１１２ａとを接続する。
【０１００】
電圧測定部１１２ａは、切替部１１１ａを介してコネクタＣ１の嵌合検出兼用端子ＣＴａと接続され、該嵌合検出兼用端子ＣＴａの電位が入力されるとともに、ＧＮＤ電位も入力されている。電圧測定部１１２ａは、ＧＮＤ電位に対する嵌合検出兼用端子ＣＴａの電圧値を測定し、測定電圧値を後段の比較判断部１１３に出力する。
【０１０１】
比較判断部１１３は、上記実施形態と同様に、測定電圧値と、コネクタ抜け電圧値（または、コネクタ抜け電圧範囲）とを比較し、コネクタ抜けが生じているか否かを判断する。
【０１０２】
このように、本実施形態の電子機器１０１は、コネクタＣ１と外部機器２に接続されるコネクタＣ２との嵌合の有無により変化するコネクタＣ１の所定端子（嵌合検出兼用端子ＣＴａ）の基準電位に対する電圧値を利用して、コネクタＣ１とコネクタＣ２との嵌合状態を検出する。ここで、所定端子は、コネクタＣ１とコネクタＣ２とが正常に嵌合されているとき、電子機器１と外部機器２との間で送受される信号を中継することを本来の機能とするとともに、嵌合状態の検出機能をも兼ねている。
【０１０３】
より具体的には、電子機器１０１は、嵌合検出兼用端子ＣＴａの基準電位に対する電圧値について、コネクタＣ１とコネクタＣ２との嵌合が無い場合の電圧値（コネクタ抜け電圧値）を記憶するＲＯＭ１２を備える。さらに、電子機器１０１は、該所定端子対間の測定電圧値と、ＲＯＭ１２が記憶するコネクタ抜け電圧値とを比較し、一致する場合に、コネクタ抜けが生じており、一致しない場合、コネクタが正常に嵌合されていると判断する比較判断部１１３を備える。
【０１０４】
これにより、本実施形態の電子機器１０１は、信号線用以外の余分な端子を用いることなく、コネクタ抜けを検知することができる。
【０１０５】
次に、コネクタＣ１の嵌合検出兼用端子ＣＴａの基準電位に対する電圧値がコネクタＣ１とコネクタＣ２との嵌合の有無により変化する実施例について説明する。なお、説明の簡略化のため、電子機器１０１におけるコネクタＣ１は、一つのみを示している。また、電子機器１０１および外部機器２における構成については、該コネクタＣ１における嵌合検出兼用端子ＣＴａに関連するものだけを示している。
【０１０６】
＜実施例２−１＞
図９は、本実施例の電子機器１０１と外部機器２−１との構成を示すブロック図である。
【０１０７】
図９に示されるように、外部機器２−１は、発光ダイオードＤ１およびフォトトランジスタＴ１からなるフォトセンサＰ１を含む。発光ダイオードＤ１からの光がフォトトランジスタＴ１に入射すると、フォトトランジスタＴ１がＯＮ状態となる。一方、発光ダイオードＤ１とフォトトランジスタＴ１との間に光を遮断する物体が存在するような場合、発光ダイオードＤ１からの光がフォトトランジスタＴ１に入射されず、フォトトランジスタＴ１がＯＦＦ状態となる。このように、フォトトランジスタＴ１は、スイッチング素子の一つである。
【０１０８】
これにより、外部機器２−１は、発光ダイオードＤ１とフォトトランジスタＴ１との間に物体が存在するか否かを判断することができる。なお、フォトセンサＰ１は、発光ダイオードＤ１とフォトトランジスタＴ１との間に物体が存在する場合を異常時であると判断するものであり、通常、発光ダイオードＤ１とフォトトランジスタＴ１との間には物体が存在しないものとする。すなわち、嵌合検出を行う時、つまり、電子機器１０１と外部機器２−１との組立時のような場合、発光ダイオードＤ１とフォトトランジスタＴ１との間には物体が存在しないものとする。
【０１０９】
発光ダイオードＤ１は、コネクタＣ２−１の端子番号１０の端子と、端子番号２の端子とに接続されている。また、フォトトランジスタＴ１は、コネクタＣ２−１の端子番号１の端子と、端子番号２の端子とに接続されている。
【０１１０】
電子機器１側のコネクタＣ１−１において、端子番号１の端子が嵌合検出兼用端子ＣＴａであり、嵌合検出部１１に接続されている。また、端子番号１の端子には、抵抗Ｒ５を介して定電圧Ｖｃｃが供給されている。さらに、端子番号２の端子は、接地されており、端子番号１０の端子は、駆動部１４に接続されている。
【０１１１】
駆動部１４は、フォトセンサＰ１を駆動するためのトランジスタＴ１０と抵抗Ｒ６とを備えており、嵌合検出部１１の制御部１１５からフォトセンサＰ１を駆動する駆動信号（発光ダイオード用の電源オン／オフ信号）を受ける。
【０１１２】
トランジスタＴ１０のコレクタは、抵抗Ｒ６を介して、コネクタＣ１−１の端子番号１０の端子と接続されている。また、トランジスタＴ１０のエミッタには定電圧Ｖｃｃが供給されている。
【０１１３】
嵌合検出部１１からの駆動信号が電源オンを表すものである場合、トランジスタＴ１０のベースにハイレベルの電圧が印加され、定電圧Ｖｃｃが抵抗Ｒ５を介してコネクタＣ１−１の端子番号１０の端子に入力される。
【０１１４】
一方、嵌合検出部１１からの駆動信号が電源オフを表すものである場合、トランジスタＴ１０のベースにローレベルの電圧が印加され、コネクタＣ１−１の端子番号１０の端子には、電圧が印加されない。なお、コネクタＣ１−１の嵌合検出を行う場合、嵌合検出部１１の制御部１１５は、電源オンを表す駆動信号を駆動部１４に出力する。
【０１１５】
次に、コネクタＣ１−１の嵌合検出を行う場合における、コネクタＣ１−１とコネクタＣ２−１との嵌合の有無による嵌合検出兼用端子ＣＴａ（端子番号１の端子）のＧＮＤ電位に対する電圧値の変化について説明する。なお、上述したように、コネクタＣ１−１の嵌合検出を行う場合、定電圧Ｖｃｃが抵抗Ｒ６を介してコネクタＣ１−１の端子番号１０の端子に入力されている。
【０１１６】
コネクタＣ１−１とコネクタＣ２−１とが正常に嵌合されている場合、図９に示されるように、発光ダイオードＤ１には抵抗Ｒ６を介して電圧Ｖｃｃが印加されるため、発光ダイオードＤ１は発光する。発光ダイオードＤ１の光がフォトトランジスタＴ１に入射されるため、フォトトランジスタＴ１は、オン状態となり、コネクタＣ１−１およびコネクタＣ２−１における端子番号１の端子と端子番号２の端子との間は短絡された状態となる。
【０１１７】
したがって、端子番号１の端子は、ＧＮＤ電位を有することとなる。すなわち、嵌合検出兼用端子ＣＴａ（端子番号１の端子）におけるＧＮＤ電位に対する電圧値は、０となる。
【０１１８】
一方、コネクタＣ１−１の端子番号１の端子と、コネクタＣ２−１における端子番号１の端子とが接続されていない場合、コネクタＣ１−１における端子番号１の端子のＧＮＤ電位に対する電圧値は、ほぼＶｃｃとなる。
【０１１９】
また、コネクタ嵌合時には、片側だけコネクタ抜けが生じる場合がある。すなわち、コネクタＣ１−１およびコネクタＣ２−１において、端子番号１の端子同士は接続されているが、端子番号１０の端子同士は接続されていないような状態である。このような場合であっても、発光ダイオードＤ１に電圧が印加されないため、フォトトランジスタＴ１がオフ状態となり、端子番号１の端子と端子番号２の端子との間は高抵抗となる。これにより、コネクタＣ１−１における端子番号１の端子のＧＮＤ電位に対する電圧値は、ほぼＶｃｃとなる。
【０１２０】
このように、コネクタＣ１−１における嵌合検出兼用端子ＣＴａ（端子番号１の端子）のＧＮＤ電位に対する電圧値は、コネクタＣ１−１とコネクタＣ２−１とが正常に嵌合されている場合、０であるのに対し、不完全に嵌合されている場合、Ｖｃｃとなる。
【０１２１】
したがって、ＲＯＭ１２にコネクタ抜け電圧値Ｖｃｃ（または、測定誤差を考慮した場合、コネクタ抜け電圧範囲Ｖｃｃ±α）を記憶させることで、比較判断部１１３が測定電圧値と該コネクタ抜け電圧値（または、コネクタ抜け電圧範囲）とを比較し、測定電圧値がコネクタ抜け電圧値を一致する場合（または、測定電圧値がコネクタ抜け電圧範囲に含まれる場合）、比較判断部１１３は、コネクタＣ１−１においてコネクタ抜けが生じていると判断することができる。
【０１２２】
＜実施例２−２＞
本実施例は、複数の嵌合検出兼用端子ＣＴａを有するコネクタＣ１に関するものである。図１０は、本実施例の電子機器１０１と外部機器２−２との構成を示すブロック図である。
【０１２３】
図１０に示されるように、外部機器２−２は、フォトセンサＰ１ａおよびフォトセンサＰ１ｂを備えている。フォトセンサＰ１ａおよびフォトセンサＰ１ｂは、上記実施例２−１で説明したフォトセンサＰ１と同一の構成・機能を有している。すなわち、フォトセンサＰ１ａは、発光ダイオードＤ１ａとフォトトランジスタＴ１ａとからなり、フォトセンサＰ１ｂは、発光ダイオードＤ１ｂとフォトトランジスタＴ１ｂとからなる。そして、嵌合検出を行う場合、発光ダイオードＤ１ａとフォトトランジスタＴ１ａとの間、および、発光ダイオードＤ１ｂとフォトトランジスタＴ１ｂとの間には物体が存在しないものとする。
【０１２４】
また、フォトトランジスタＴ１ａは端子番号１，２に、フォトトランジスタＴ１ｂは端子番号９，１０に接続されている。また、発光ダイオードＤ１ａおよび発光ダイオードＤ１ｂのアノードには、それぞれ端子番号３，１０の端子に接続されている。
【０１２５】
電子機器１０１側のコネクタＣ１−１において、端子番号１，１０の端子が嵌合検出兼用端子ＣＴａであり、嵌合検出部１１に接続されている。
【０１２６】
また、端子番号１，１０の端子には、それぞれ抵抗Ｒ５を介して定電圧Ｖｃｃが供給されている。さらに、端子番号２，９の端子は、接地されており、端子番号３，１０の端子は、駆動部１４に接続されている。
【０１２７】
駆動部１４は、上記実施例２−１と同様に、フォトセンサＰ１ａ，Ｐ１ｂを駆動するためのトランジスタＴ１０と抵抗Ｒ６とを備えている。そして、コネクタＣ１−２の嵌合検出を行う場合、駆動部１４は、嵌合検出部１１の制御部１１５からの受ける電源ＯＮ信号により、トランジスタＴ１０をＯＮ状態にする。
【０１２８】
嵌合検出兼用端子である端子番号１，１０の端子におけるＧＮＤ電位に対する電圧値は、上記実施例２−１と同様に、コネクタＣ１−２とコネクタＣ２−２とが正常に嵌合されている場合、０Ｖであるのに対し、不完全に嵌合されている場合、Ｖｃｃとなる。
【０１２９】
また、本実施例では、嵌合検出兼用端子ＣＴａが２つ（端子番号１，１０）あるため、嵌合検出部１１は、嵌合検出兼用端子ＣＴａごとに嵌合状態の判断を行う。したがって、嵌合状態をより正確に検出することができる。
【０１３０】
さらに、本実施例のように、嵌合検出兼用端子ＣＴａがコネクタＣ１−２の両端に位置している場合、コネクタＣ１−２とコネクタＣ２−２とが片側だけ抜けている状態を検知することができる。
【０１３１】
＜実施例２−３＞
図１１は、本実施例の電子機器１０１と外部機器２−１との構成を示すブロック図である。図１１に示されるように、外部機器２−１は、スイッチＳ２を備えている。該スイッチＳ２は、電子機器１０１と外部機器２−１との連動時に使用されるものである。また、スイッチ２３は、通常、閉状態に設定されており、コネクタＣ１−１とコネクタＣ２−１との嵌合検出を行う際にも閉状態であるとする。スイッチＳ２は、コネクタＣ２−１の端子番号１および１０の端子間に接続されている。
【０１３２】
一方、電子機器１０１側のコネクタＣ１−１において、端子番号１の端子が嵌合検出兼用端子ＣＴａであり、嵌合検出部１１に接続されている。また、端子番号１の端子には、抵抗Ｒ７を介して定電圧Ｖｃｃが供給されるとともに、端子番号１および端子番号１０の端子間には、抵抗Ｒ８が配置されている。さらに、端子番号１０の端子は、接地されている。なお、抵抗Ｒ７と抵抗Ｒ８との抵抗値は、同じである。
【０１３３】
次に、コネクタＣ１−１の嵌合検出を行う場合における、コネクタＣ１−１とコネクタＣ２−１との嵌合の有無による嵌合検出兼用端子ＣＴａ（端子番号１の端子）のＧＮＤ電位に対する電圧値の変化について説明する。
【０１３４】
コネクタＣ１−１とコネクタＣ２−１とが正常に嵌合されている場合、図１１に示されるように、端子番号１および１０の端子間が短絡されるため、端子番号１の端子は、ＧＮＤ電位を有することとなる。すなわち、端子番号１の端子におけるＧＮＤ電位に対する電圧値は、０となる。
【０１３５】
一方、コネクタＣ１−１とコネクタＣ２−１とが正常に嵌合されていない場合、コネクタＣ１−１において、端子番号１および端子番号１０の端子間は開放された状態となるため、コネクタＣ１−１における端子番号１の端子のＧＮＤ電位に対する電圧値は、Ｖｃｃ／２となる。
【０１３６】
このように、コネクタＣ１−１における嵌合検出兼用端子ＣＴａ（端子番号１の端子）のＧＮＤ電位に対する電圧値は、コネクタＣ１−１とコネクタＣ２−１とが正常に嵌合されている場合、０であるのに対し、不完全に嵌合されている場合、Ｖｃｃ／２となる。
【０１３７】
したがって、ＲＯＭ１２にコネクタ抜け電圧値Ｖｃｃ／２（または、測定誤差を考慮した場合、コネクタ抜け電圧範囲Ｖｃｃ／２±α）を記憶させることで、比較判断部１１３が測定電圧値と該コネクタ抜け電圧値（または、コネクタ抜け電圧範囲）とを比較し、測定電圧値がコネクタ抜け電圧値を一致する場合（または、測定電圧値がコネクタ抜け電圧範囲に含まれる場合）、比較判断部１１３は、コネクタＣ１−１においてコネクタ抜けが生じていると判断することができる。
【０１３８】
＜実施例２−４＞
図１２は、本実施例の電子機器１０１と外部機器２−１との構成を示すブロック図である。
【０１３９】
図１２に示されるように、外部機器２−１は、二つのスイッチＳ３，Ｓ４を備えている。該スイッチＳ３，Ｓ４は、電子機器１０１と外部機器２−１との連動時に使用されるものである。また、スイッチＳ３，Ｓ４のうち少なくとも一つは、通常、閉状態に設定されており、コネクタＣ１−１とコネクタＣ２−１との嵌合検出を行う際にも閉状態であるとする。
【０１４０】
スイッチＳ３はコネクタＣ２−１の端子番号１，２の端子に、スイッチＳ４はコネクタＣ２−１の端子番号１９，２０の端子に接続されている。
【０１４１】
一方、電子機器１側のコネクタＣ１−１において、端子番号２０の端子が嵌合検出兼用端子ＣＴａであり、嵌合検出部１１に接続されている。また、端子番号２０の端子は、抵抗Ｒ１０，Ｒ１１，Ｒ１２により抵抗分割されている。
【０１４２】
抵抗Ｒ１０は、端子番号１，２の端子間に接続されており、端子番号１の端子との接続点に定電圧Ｖｃｃが供給されている。抵抗Ｒ１１は、端子番号１９，２０の端子間に接続されるとともに、抵抗Ｒ１０，Ｒ１２間に配置している。また、抵抗Ｒ１２は、端子番号２０の端子と、ＧＮＤとに接続されている。なお、抵抗Ｒ１０，Ｒ１１，Ｒ１２の抵抗値は、いずれもＲとする。
【０１４３】
次に、コネクタＣ１−１の嵌合検出を行う場合における、コネクタＣ１−１とコネクタＣ２−１との嵌合の有無による嵌合検出兼用端子ＣＴａ（端子番号２０の端子）のＧＮＤ電位に対する電圧値の変化について説明する。
【０１４４】
まず、コネクタＣ１−１とコネクタＣ２−１とが正常に嵌合されている場合について説明する。スイッチＳ３およびスイッチＳ３がともに通常閉状態である場合、端子番号１，２間と端子番号１９，２０間とが短絡されるため、端子番号２０の端子は、端子番号１の端子の電位Ｖｃｃとなる。すなわち、端子番号２０の端子におけるＧＮＤ電位に対する電圧値はＶｃｃとなる。
【０１４５】
スイッチＳ３およびスイッチＳ３のいずれか一方がともに通常閉状態であり、他方が通常開状態である場合、端子番号２０の端子は、抵抗Ｒ１０および抵抗Ｒ１２、または、抵抗Ｒ１１および抵抗Ｒ１２で抵抗分割される。そのため、端子番号２０の端子におけるＧＮＤ電位に対する電圧値はＶｃｃ／２となる。
【０１４６】
一方、コネクタＣ１−１とコネクタＣ２−１とが正常に嵌合されていない場合、コネクタＣ１−１において、端子番号１，２間および端子番号１９，２０間は開放された状態となる。そのため、コネクタＣ１−１における端子番号２０の端子のＧＮＤ電位に対する電圧値は、Ｖｃｃ／３となる。
【０１４７】
このように、コネクタＣ１−１における端子番号１の端子のＧＮＤ電位に対する電圧値は、コネクタＣ１−１とコネクタＣ２−１とが正常に嵌合されている場合、ＶｃｃまたはＶｃｃ／２であるのに対し、不完全に嵌合されている場合、Ｖｃｃ／３となる。
【０１４８】
したがって、ＲＯＭ１２にコネクタ抜け電圧値Ｖｃｃ／３（または、測定誤差を考慮した場合、コネクタ抜け電圧範囲Ｖｃｃ／３±α）を記憶させることで、比較判断部１１３が測定電圧値と該コネクタ抜け電圧値（または、コネクタ抜け電圧範囲）とを比較し、測定電圧値がコネクタ抜け電圧値を一致する場合（または、測定電圧値がコネクタ抜け電圧範囲に含まれる場合）、比較判断部１１３は、コネクタＣ１−１においてコネクタ抜けが生じていると判断することができる。
【０１４９】
＜実施例２−５＞
上記実施例２−１〜２−４は、通常閉状態であるスイッチや、通常オン状態であるフォトトランジスタの出力を利用して、電子機器１０１がコネクタの嵌合検出を行う例であった。すなわち、コネクタ嵌合時に、コネクタＣ１における所定の端子間が短絡することを利用している。しかしながら、外部機器２において、通常閉状態であるスイッチや通常オン状態であるフォトトランジスタがなく、通常開状態であるスイッチや通常オフ状態であるフォトトランジスタのみがある場合がある。本実施例は、外部機器２が通常オフ状態であるフォトトランジスタのみを備えている例であり、このような場合でも、電子機器１０１が嵌合検出を行うことのできる例である。
【０１５０】
図１３は、本実施例の電子機器１と外部機器２−１との構成を示すブロック図である。
【０１５１】
図１３に示されるように、外部機器２−１は、二つのフォトセンサＰ３ａ、Ｐ３ｂを備えている。フォトセンサＰ３ａ、Ｐ３ｂは、それぞれ発光ダイオードＤ３ａ、Ｄ３ｂとフォトトランジスタＴ３ａ、Ｔ３ｂを備えるとともに、遮断材を備えている。すなわち、フォトセンサＰ３ａ，Ｐ３ｂにおいて、通常、発光ダイオードＤ３ａ，Ｄ３ｂとフォトトランジスタＴ３ａ，Ｔ３ｂとの間に遮断材が設けられており、フォトトランジスタＴ３ａ，Ｔ３ｂは、オフ状態である。そして、何らかの異常時に遮断材が移動し、発光ダイオードＤ３ａ，Ｄ３ｂからの光がフォトトランジスタＴ３ａ，Ｔ３ｂに入射され、フォトトランジスタＴ３ａ，Ｔ３ｂがオン状態となることで、フォトセンサＰ３ａ、Ｐ３ｂは、異常を検知する。このようにして、フォトセンサＰ３ａ，Ｐ３ｂは、異常時を検知するセンサとして通常機能している。
【０１５２】
このように、フォトトランジスタＴ３ａ、Ｔ３ｂは、通常オフ状態であり、嵌合検出を行う際にもオフ状態である。
【０１５３】
フォトトランジスタＴ３ａとフォトトランジスタＴ３ｂとは直列に接続されており、フォトトランジスタＴ３ａの一端がコネクタＣ２−１における端子番号１に、フォトトランジスタＴ３ｂの一端がコネクタＣ２−１における端子番号２０に接続されている。また、フォトトランジスタＴ３ａおよびフォトトランジスタＴ３ｂには、それぞれ抵抗Ｒ１３ａ、Ｒ１３ｂが並列に接続されている。なお、抵抗Ｒ１３ａ、Ｒ１３ｂの抵抗値は同じ値（ｒ）である。
【０１５４】
発光ダイオードＤ３ａ，Ｄ３ｂは、コネクタＣ２−１の端子番号２，１９間に直列に接続されている。
【０１５５】
一方、電子機器１０１側のコネクタＣ１−１において、端子番号２０の端子が嵌合検出兼用端子ＣＴａであり、嵌合検出部１１に接続されている。また、端子番号２０の端子は、端子番号１９の端子と抵抗Ｒ１５を介して接続されている。抵抗Ｒ１５の抵抗値は、上記抵抗Ｒ１３ａ，Ｒ１３ｂと同じである。
【０１５６】
また、端子番号１９の端子は、接地されており、端子番号１，２の端子には、定電圧Ｖｃｃが供給されている。
【０１５７】
次に、コネクタＣ１−１の嵌合検出を行う場合における、コネクタＣ１−１とコネクタＣ２−１との嵌合の有無による嵌合検出兼用端子ＣＴａ（端子番号２０の端子）のＧＮＤ電位に対する電圧値の変化について説明する。
【０１５８】
まず、コネクタＣ１−１とコネクタＣ２−１とが正常に嵌合されている場合について説明する。上述したように、フォトトランジスタＴ３ａ、Ｔ３ｂがオフ状態であり、高抵抗状態であるため、端子番号１，２０の端子間には、実質的に抵抗Ｒ１３ａ，Ｒ１３ｂの直列抵抗が配置されていることとなり、その抵抗値は２ｒとなる。よって、コネクタが嵌合されている場合、端子番号２０の端子のＧＮＤ電位に対する電圧値は、Ｖｃｃ／３となる。
【０１５９】
一方、コネクタＣ１−１とコネクタＣ２−１とが正常に嵌合されていない場合、コネクタＣ１−１における端子番号２０の端子は、端子番号１９の端子に抵抗Ｒ１５を介して接続されているだけの状態となり、その電位は、ＧＮＤとなる。
【０１６０】
このように、コネクタＣ１−１における嵌合検出兼用端子ＣＴａ（端子番号２０の端子）のＧＮＤ電位に対する電圧値は、コネクタＣ１−１とコネクタＣ２−１とが正常に嵌合されている場合、Ｖｃｃ／３であるのに対し、不完全に嵌合されている場合、０となる。
【０１６１】
したがって、ＲＯＭ１２にコネクタ抜け電圧値Ｖｃｃ／３（または、測定誤差を考慮した場合、コネクタ抜け電圧範囲Ｖｃｃ／３±α）を記憶させることで、比較判断部１１３が測定電圧値と該コネクタ抜け電圧値（または、コネクタ抜け電圧範囲）とを比較し、測定電圧値がコネクタ抜け電圧値を一致する場合（または、測定電圧値がコネクタ抜け電圧範囲に含まれる場合）、比較判断部１１３は、コネクタＣ１−１においてコネクタ抜けが生じていると判断することができる。
【０１６２】
なお、上記実施例２−１，２−２，２−３，２−５においては、それぞれコネクタＣ１の端子番号２，２，１０，１９にＧＮＤ電位が供給されている。ここで、ＧＮＤ電位が供給されている端子を基準電位端子とよぶ。また、嵌合検出部１１における電圧測定部１１２ａは、上述したように、基準電位であるＧＮＤ電位に対する嵌合検出兼用端子ＣＴａの電圧値を測定している。したがって、電圧測定部１１２ａは、コネクタＣ１における基準電位端子と嵌合検出兼用端子ＣＴａとからなる端子対間の電圧値を測定しているといえる。
【０１６３】
上記各実施例では、外部機器２が備えるフォトセンサやスイッチに接続されている端子を嵌合検出兼用端子ＣＴａとしたが、これに限られない。嵌合検出兼用端子ＣＴａは、コネクタＣ１とコネクタＣ２との嵌合の有無により、基準電位に対する電位が変化するものであればよく、フォトセンサやスイッチ以外の素子に接続されていてもよい。
【産業上の利用可能性】
【０１６４】
本発明の電子機器によれば、信号線用以外の余分な端子を用いることなく、コネクタの抜けを検知することができる。よって、他の機器とコネクタを介して接続するあらゆる電子機器に適用できる。
【図面の簡単な説明】
【０１６５】
【図１】本発明の実施形態を示すものであり、電子機器の要部構成を示すブロック図である。
【図２】上記電子機器が備えるＲＯＭの一記憶例を示す図である。
【図３】上記電子機器におけるコネクタの嵌合状態を検出する手順を示すフローチャートである。
【図４】上記電子機器が備えるＲＯＭにおける別の記憶例を示す図である。
【図５】上記電子機器が備えるＲＯＭにおけるさらに別の記憶例を示す図である。
【図６】上記電子機器の一実施例を示すブロック図である。
【図７】本発明の他の実施形態を示すものであり、電子機器の要部構成を示すブロック図である。
【図８】図７に示すＲＯＭの一記憶例を示す図である。
【図９】図７に示す電子機器の実施例２−１を示すブロック図である。
【図１０】図７に示す電子機器の実施例２−２を示すブロック図である。
【図１１】図７に示す電子機器の実施例２−３を示すブロック図である。
【図１２】図７に示す電子機器の実施例２−４を示すブロック図である。
【図１３】図７に示す電子機器の実施例２−５を示すブロック図である。
【符号の説明】
【０１６６】
１・１０１    電子機器
２（２−１，２−２，…２−Ｎ）    外部機器
１２    ＲＯＭ（記憶手段）
１１２・１１２ａ    電圧測定部（電圧測定手段）
１１３    比較判断部（判断手段）
Ｃ１（Ｃ１−１，Ｃ１−２，…Ｃ１−Ｎ）    コネクタ（第２のコネクタ）
Ｃ２（Ｃ２−１，Ｃ２−２，…Ｃ２−Ｎ）    コネクタ（第１のコネクタ）
ＣＴ    嵌合検出兼用端子対（端子対）
ＣＴａ    嵌合検出兼用端子（端子）
Ｓ１・Ｓ２・Ｓ３    スイッチ（スイッチング素子）
Ｔ１・Ｔ１ａ・Ｔ１ｂ・Ｔ３ａ・Ｔ３ｂ    フォトトランジスタ（スイッチング素子）
Ｒ１３ａ・Ｒ１３ｂ    抵抗
【図１】
2005249494.tif 000003
【図２】
2005249494.tif 000004
【図３】
2005249494.tif 000005
【図４】
2005249494.tif 000006
【図５】
2005249494.tif 000007
【図６】
2005249494.tif 000008
【図７】
2005249494.tif 000009
【図８】
2005249494.tif 000010
【図９】
2005249494.tif 000011
【図１０】
2005249494.tif 000012
【図１１】
2005249494.tif 000013
【図１２】
2005249494.tif 000014
【図１３】
2005249494.tif 000015